(57)【特許請求の範囲】
【請求項１】
磁気共鳴システムで用いられる装置であって：
磁気共鳴システム内での有用な動作を実行するように構成される動作部品；
前記動作部品との電気通信を供するように前記動作部品と接続する電気ケーブル；並びに、
前記電気ケーブルの少なくとも一部及び該一部と並列に接続する1つ以上の受動電気部品によって構成され、かつ第1磁気共鳴周波数の第1インピーダンス極、及び、前記第1磁気共鳴周波数とは異なる第2磁気共鳴周波数の第2インピーダンス極を有する共振回路；
を有する装置。
【請求項２】
前記第1磁気共鳴周波数は、1H磁気共鳴周波数で、かつ
前記第2磁気共鳴周波数は、1H磁気共鳴周波数とは異なる、
請求項1に記載の装置。
【請求項３】
前記第2磁気共鳴周波数は、31P核磁気共鳴、19F核磁気共鳴、13C核磁気共鳴、23Na核磁気共鳴、及び17O核磁気共鳴からなる群から選ばれる、請求項1に記載の装置。
【請求項４】
前記動作部品は介入用器具を有し、かつ
前記電気ケーブルは、電力用導体及び信号用導体のうちのいずれか1つである、
請求項1に記載の装置。
【請求項５】
前記動作部品は高周波コイルを有し、かつ
前記電気ケーブルは、高周波電力用導体及び高周波信号用導体のうちのいずれか1つである、
請求項1に記載の装置。
【請求項６】
前記共振回路が環状コイルインダクタを有する、請求項1に記載の装置。
【請求項７】
前記共振回路と前記の電気ケーブルの含まれている部分を取り囲む高周波遮蔽体をさらに有する、請求項1に記載の装置。
【請求項８】
前記共振回路が：
前記第1磁気共鳴周波数で共振する第1共振回路；及び
前記第2磁気共鳴周波数で共振する第2共振回路；
を有し、
前記電気ケーブルは、前記第1磁気共鳴周波数で共振する第1共振回路及び前記第2磁気共鳴周波数で共振する第2共振回路と、電気的に直列接続する、
請求項1に記載の装置。
【請求項９】
前記共振回路が、前記電気ケーブルと誘導結合する共振回路をさらに有する、請求項1に記載の装置。
【請求項１０】
前記共振回路が第1インピーダンス及び第2インピーダンスを有し、
前記第1インピーダンス及び第2インピーダンスは、前記電気ケーブルの少なくとも一部にわたって並列接続することで、前記第1磁気共鳴周波数で第1インピーダンス極を有し、かつ前記第1磁気共鳴周波数とは異なる第2磁気共鳴周波数で第2インピーダンス極を有する共振回路を定める、
請求項1に記載の装置。
【請求項１１】
前記共振回路が、前記電気ケーブルと誘導結合する同軸シリンダを有する、請求項1に記載の装置。
【請求項１２】
前記共振回路が：
前記電気ケーブルと誘導結合する第1同軸シリンダ；及び、
前記電気ケーブルと誘導結合し、又は、前記第1同軸シリンダと電気的に結合若しくは誘導結合する第2同軸シリンダ；
を有し、
前記第1同軸シリンダと前記第2同軸シリンダとの相対位置の設定は、前記第1磁気共鳴周波数で第1インピーダンス極を有し、かつ前記第1磁気共鳴周波数とは異なる第2磁気共鳴周波数で第2インピーダンス極を有する共振回路を定めるのに有効である、
請求項1に記載の装置。
【請求項１３】
前記共振回路が、前記電気ケーブルの長さに沿って延在する分配された共振回路である、請求項1に記載の装置。
【請求項１４】
前記共振回路が、前記電気ケーブルと誘導結合又は伝導結合する少なくとも1つのストリップライン素子を有する、請求項1に記載の装置。
【請求項１５】
磁気共鳴スキャナ；及び
請求項1に記載の装置；
を有する磁気共鳴システム。
【発明の詳細な説明】
【技術分野】
【０００１】
本開示は、磁気共鳴技術、磁気共鳴イメージング技術、磁気共鳴分光技術、医療用磁気共鳴イメージング及び分光技術、並びにそれらの関連技術に関する。
【背景技術】
【０００２】
医療用途向け磁気共鳴(MR)技術−たとえば機能的磁気共鳴イメージング(fMRI)、MR分光、定量的MRイメージング又はマッピング−は、複数の磁気共鳴周波数で磁気共鳴励起を実行することで利益を得ることができる。たとえば1種類以上の1H以外の多核イメージング−たとえば31P核磁気共鳴、19F核磁気共鳴、13C核磁気共鳴、23Na核磁気共鳴、17O核磁気共鳴−は、新陳代謝及び生物学的機能の情報を推定することのできる化学分布マッピングを引き出すことができる。
【発明の概要】
【発明が解決しようとする課題】
【０００３】
既存のMRシステムは一般に、1H核磁気共鳴のイメージング用に構成されている。構成部品−たとえば高周波受信コイル、カテーテル、又は他のMRイメージングによって監視される介入処理に用いられるように設計された他の介入用器具−は、1H核磁気共鳴の高周波励起下で安全かつ高い信頼性となるように設計されている。たとえば、導電性部品を有し、又は導電性ケーブルと接続する部品は、1H核磁気共鳴と一致する天然の共鳴を抑制するように設計されている。しかしこれらの装置は、多核磁気共鳴用途では安全ではない恐れがある。
【課題を解決するための手段】
【０００４】
例として図示及び記載されたある実施例によると、磁気共鳴システムで用いられる装置が開示されている。当該装置は：磁気共鳴システム内での有用な動作を実行するように構成される動作部品；前記動作部品との電気通信を供するように前記動作部品と接続する電気ケーブル(24,28)；及び、前記電気ケーブルの少なくとも一部を含む共振回路(30,32)を有する。前記共振回路は、第1磁気共鳴周波数の第1インピーダンス極、及び、前記第1磁気共鳴周波数とは異なる第2磁気共鳴周波数の第2インピーダンス極を有する。
【０００５】
例として図示及び記載されたある実施例によると、磁気共鳴システムが開示されている。当該システムは、磁気共鳴スキャナ及び前段落の装置を有する。
【発明の効果】
【０００６】
一の利点は、多共鳴MR用途で用いられる安全かつ信頼性の高い構成部品を供することである。
【０００７】
他の利点は、多核磁気共鳴イメージング、分光等を促進することである。
【０００８】
さらに他の利点は、以降の詳細な説明を読んで理解すれば、当業者には明らかである。
【図面の簡単な説明】
【０００９】
【図１】磁気共鳴システムの概略図を表している。
【図２】図1に図示された共振回路として用いられるのに適した共振回路の実施例を図示している。
【図３】図1に図示された共振回路として用いられるのに適した共振回路の実施例を図示している。
【図４】図1に図示された共振回路として用いられるのに適した共振回路の実施例を図示している。
【図５】図1に図示された共振回路として用いられるのに適した共振回路の実施例を図示している。
【図６】図1に図示された共振回路として用いられるのに適した共振回路の実施例を図示している。
【図７】図1に図示された共振回路として用いられるのに適した共振回路の実施例を図示している。
【図８】図1に図示された共振回路として用いられるのに適した共振回路の実施例を図示している。
【図９】図1に図示された共振回路として用いられるのに適した共振回路の実施例を図示している。
【図１０】図1に図示された共振回路として用いられるのに適した共振回路の実施例を図示している。
【図１１】図1に図示された共振回路として用いられるのに適した共振回路の実施例を図示している。
【図１２】図1に図示された共振回路として用いられるのに適した共振回路の実施例を図示している。
【図１３】図1に図示された共振回路として用いられるのに適した共振回路の実施例を図示している。
【発明を実施するための形態】
【００１０】
図1を参照すると、画像化システムは磁気共鳴(MR)スキャナ10を有する。MRスキャナ10とはたとえば、Achieva（商標）磁気共鳴スキャナ（コーニンクレッカフィリップスから市販されている）、又はIntera（商標）若しくはPanorama（商標）磁気共鳴スキャナ（両者ともコーニンクレッカフィリップスから市販されている）、又は他の市販されている磁気共鳴スキャナ、又は市販されていない磁気共鳴スキャナ等である。典型的実施例では、磁気共鳴スキャナは複数の構成部品を内部に有する（図示されていない）。そのような構成部品とはたとえば、静磁場(B0)を発生させる超伝導又は抵抗主磁石、静磁場に選択された磁場勾配を重ね合わせる磁場勾配コイル巻線の組等である。MRスキャナ10は、MR制御モジュール12によって制御されることで、MRスキャナ10は励起し、かつ再構成モジュール14によって再構成される磁気共鳴データが空間的に符号化されることで、MRスキャナ10の視野(FOV)内に設けられた対象物の磁気共鳴画像が1つ以上生成される。再構成された画像は、画像メモリ16内に適切に保存され、コンピュータ20のディスプレイ18上に表示され、あるいは利用されて良い。分光用途では、取得された磁気再構成データ（任意で空間符号化を含む）の分光特性は、対象物についての化学的情報又は他の情報を得るように抽出される。図示された実施例では、処理用構成部品及びメモリ構成部品12,14,16は、図示されたコンピュータ20のデジタル処理装置及びメモリ（図示されていない）によって実装される。他の実施例では、これらの構成部品は、1つ以上の専用デジタル若しくはASIC制御装置又はデータ処理構成部品によって様々な態様で実装されて良い。
【００１１】
磁気共鳴システムは、1つ以上の選択された磁気共鳴周波数で磁気共鳴を励起させ、かつ励起された磁気共鳴信号を検出する高周波システムを有する。図示されたシステムは、電気ケーブル24によってMR制御モジュール12と接続する典型的な環状局所高周波コイル22を有する。電気ケーブル24は典型的には、高周波遮断を供する同軸又は三軸ケーブルである。電気ケーブル24は、たとえば高周波出力導体及び高周波信号導体のうちの少なくとも1つを供することによって、高周波コイル22との電気的接続を供する。図示された環状コイル22は典型例であり、高周波システムは、様々な構成の高周波コイル−たとえばバードケージ型コイル、横方向電磁場(TEM)型コイル等−を有して良く、かつ様々な大きさ及び構造の高周波コイル−たとえば全身コイル、頭部コイル、上肢コイル等−を有して良いと解される。さらにコイルは、送信専用コイル、受信専用コイル、及び送受信(T/R)コイル、又はこれらを組み合わせたコイルを有して良いと解される。一部の実施例では、送受信操作に単一のコイルが用いられて良い。その一方で、別な実施例では、全身コイルが送信コイルとして用いられて、かつ複数の送受信(T/R)コイル（たとえば4、8、12、16、又はそれ以上のT/Rコイル）からなるアレイが磁気共鳴の受信に用いられて良い。他方別なさらに別な実施例では、複数の送受信(T/R)コイル（たとえば4、8、12、16、又はそれ以上のT/Rコイル）からなるアレイが、送受信操作に用いられて良い。コイルアレイの場合では、図示された電気ケーブル24は、アレイの複数の高周波コイルと接続する複数の電気ケーブルを有する。典型的な高周波コイル22は、例示の便宜上MRスキャナ10の開口の外側（つまりはMR  FOVの外部）に設けられている−動作時には、高周波コイル22はMRスキャナ10の開口内に設けられ、コイル22は電気ケーブル22の可撓性により変位可能である−ことにも留意して欲しい。高周波コイルの型−たとえばMRスキャナ10の開口内に（半）永久的に載置された全身コイル−の中には、接続する電気ケーブルが剛性を有するものもある。
【００１２】
コイル22との電気的接続を供する図示された電気ケーブル24を備えた典型的な高周波コイル22は、磁気共鳴システム内での有用な操作を実行するように構成された動作部品の典型例である。磁気共鳴用途に依存して、磁気共鳴システム内での有用な操作を十個するように構成された他の動作部品が供されて良い。典型例として、図示された実施例は、介入用器具26−たとえばカテーテル、針生検等−をさらに有する。電気ケーブル28は、介入用器具26との電気的接続を供する介入用器具26と接続する。たとえば電気ケーブル28は、電力用導体、信号用導体等であって良い。図1では、介入用器具26に隣接する電気ケーブル28のわずか一部だけが図示されている。電気ケーブル28の離れた端部は、適切な電源、信号処理装置等と接続していることに留意して欲しい。
【００１３】
図1の磁気共鳴システムは、多共鳴磁気共鳴システムとして用いられて良い。つまり図1の磁気共鳴システムは、2つ以上の異なる磁気共鳴周波数−たとえば1H磁気共鳴周波数、及び、31P核磁気共鳴、17F核磁気共鳴、13C核磁気共鳴、23Na核磁気共鳴、及び17O核磁気共鳴からなる群から選ばれる第2磁気共鳴周波数−での磁気共鳴の励起及び受信を行うように構成可能である。より一般的には図1の磁気共鳴システムは、第1磁気共鳴周波数及び該第1磁気共鳴周波数とは異なる第2磁気共鳴周波数を含む各異なる磁気共鳴周波数での磁気共鳴を励起及び受信するように構成可能である。磁気共鳴の励起段階データの取得中、高周波システムは、（複数の）磁気共鳴周波数での高周波エネルギーを注入する。これは当技術分野において典型的には、送信磁場”B1”として表される。励起磁場B1は一般的に、励起磁場B1内において、導体部品内で（複数の）磁気共鳴周波数で電流を誘起することができる。励起磁場B1内での導体部品は、磁気共鳴システム内での有用な動作を実行するように構成された典型的な動作部品22,26、及び、動作部品22,26と接続することで動作部品22,26の各々との電気的接続を供する電気ケーブル24,28を有する。
【００１４】
続けて図1を参照すると、共振回路30は電気ケーブル24の少なくとも一部を有する。共振回路30は、MRシステムによって励起される第1磁気共鳴周波数で第1インピーダンス極を有し、かつ前記MRシステムによって励起される、前記第1磁気共鳴周波数とは異なる第2磁気共鳴周波数で第2インピーダンス極を有する。たとえばMRシステムが、1H磁気共鳴周波数と13C核磁気共鳴周波数の両方で磁気共鳴を励起するように構成されている場合、共振回路30は適切となるように、1H磁気共鳴周波数と13C核磁気共鳴周波数の両方でインピーダンス極を有する。「第1磁気共鳴周波数で第1インピーダンス極」とは、共振回路30が、第1磁気共鳴周波数で電流に対する高いインピーダンスを与えることを意味する。同様に、「第2磁気共鳴周波数で第2インピーダンス極」とは、共振回路30が、第1磁気共鳴周波数で電流に対する高いインピーダンスを与えることを意味する。
【００１５】
同様に、共振回路32は電気ケーブル28の少なくとも一部を有する。共振回路32は、MRシステムによって励起される第1磁気共鳴周波数で第1インピーダンス極を有し、かつ前記MRシステムによって励起される、前記第1磁気共鳴周波数とは異なる第2磁気共鳴周波数で第2インピーダンス極を有する。共振回路30,32を有することによって、第1磁気共鳴周波数及び/又は第2磁気共鳴周波数での励起磁場B1は、ケーブル24,28内において磁気共鳴周波数ではほとんど電流を誘起しない。むしろそのように誘起される電流は、共振回路30,32によって実質的に阻止される。このようにして、動作部品22,26及び各対応する電気ケーブル24,28は、図1の多核MRシステムで利用しても安全となる。
【００１６】
図2乃至13を参照すると、共振回路30,32としての利用に適した一部の例示された共振回路が記載されている。
【００１７】
図2は共振回路34を図示している。共振回路34では、インダクタンスLsとキャパシタンスCsの直接接続によって形成されるインピーダンス36が、キャパシタンスCpによって形成されるインピーダンス38と並列するように設けられている。素子Ls、Cs、及びCpは、独立した、すなわちまとまった素子として図示されているが、分配された素子として実装されても良い。図2の直列−並列共振回路全体にわたるインピーダンスはZpで表される。Zpは次式で表すことができる。
【００１８】
【数１】
0005681699.tif 000002
ここでω=2πfは、Hz単位の周波数fに相当するラジアンで表された周波数で、パラメータωp及びωsは、インダクタンスLs、キャパシタンスCs、及びキャパシタンスCpによって決定される。共振回路34は、ωpでインピーダンス極を有し、かつωsでゼロインピーダンスを有する。
【００１９】
図3は、誘導インダクタンスLcableを有する電気ケーブル24又は電気ケーブル28の一部と並列に設けられた図2の共振回路34を図示している。つまりインダクタンスLcableを有する電気ケーブルの一部は、図1の電気ケーブル24の一部又は電気ケーブル28の一部である。図3の共振回路は、共振回路34及びLcableを有する電気ケーブル部分によって定められ、かつ図1において概略的に図示されている共振回路30,32のいずれかにとって適した実施例である。LcableがZp*に等しいときに図3の共振回路は共振する。ここでZp*は、共振回路34のインピーダンスZpの共役複素である。従って、インピーダンスZpが、ωpでインピーダンス極となり、かつωsでゼロインピーダンスとなるように、インピーダンスLs、Cs、及びCpを調節することによって、図3の共振回路は、2つの異なる磁気共鳴周波数でインピーダンス極を供するように調節することができる。2つの異なる磁気共鳴周波数をω1、ω2(≠ω1)と表すと、調節されたインピーダンスは次式で与えられる。
【００２０】
【数２】
0005681699.tif 000003
典型的には、電気ケーブルのインダクタンスLcableは300〜600nHの範囲である。図3の共振回路の素子Ls、Cs、及びCpの値は、式(2)-(4)を用いることによって計算することができる。実際に実施する際には、インダクタンスLsは典型的には約50〜300nHで、キャパシタンスCs、Cpは典型的には約5〜100pFの範囲である。これらの範囲での値では、まとまったインダクタ及びキャパシタの小さな許容度も概して有効である。
【００２１】
まとまった素子Ls、Cs、及びCpは、分配された素子に置換されて良いし、又は分配された素子と混合−たとえば伝送線（図示されていない）として実装−されても良い。たとえば開口接続により終端されるλ/4伝送線−共振周波数でインピーダンスをゼロにする−が、LsとCsの直列接続によって形成される直列共振回路36の代わりに用いられても良い。そのような構成は、たとえば伝送線がカテーテル又は他の細長い介入用器具の管腔へうまく集積できる介入用器具26では便利になるだろう。
【００２２】
共鳴の際、高RF電流が共振回路30,32を流れることができる。従って、インピーダンス素子Ls、Cs、及びCp（又は伝送線のように動作上等価となるように分配された素子）は、低損失及び高RF電流処理となるように選ばれなければならない。
【００２３】
図4を参照すると、捕らえられる磁気共鳴周波数の数が3以上である場合、三重共振回路が用いられて良い。図4に図示された例では、図2の共振回路34は、インダクタンスL3とキャパシタンスC3の並列接続を含む並列共振回路と直列に設けられている。図4の共振回路は適切となるように、インダクタンスLcableの電気ケーブル部分と並列接続する。他のパラメータL3、C3は、次式で表される共鳴条件に従って調節される。
【００２４】
【数３】
0005681699.tif 000004
図5を参照すると、電気ケーブルのインダクタンスLcableを画定する環状コイルインダクタ40を有する他の適切な共振回路の実施例が開示されている。環状コイルインダクタは、低周波数で低インピーダンスであるゼロインピーダンスを有し、かつ高周波数で高インピーダンスであるインピーダンス極を有する図2の共振回路全体と並列接続する。よってケーブルは、2つの周波数で、環状コイルインダクタ40の位置にて高インピーダンスを有する。図5の構成の利点は、環状コイルインダクタ40が、インダクタンスLcableを高精度で定めるように構成できることである。環状コイルインダクタ40は、図示されたような強磁性コイル若しくはエアコイルの周辺に巻かれた物理的コイルとして、又はプリント回路基板上に形成されたストリップライン（図6参照）として実装されて良い。電気ケーブル24又は電気ケーブル28は、外側の遮蔽体が図5に図示された回路と接続する適切なセミグリッド同軸ケーブルである。
【００２５】
図6は、インダクタLsとLcableがプリント回路基板50上のストリップラインとして実装され、かつキャパシタCpとCsもまたプリント回路基板上に形成される共振回路の物理的実施例を図示している。図6に図示されたストリップライン二重共振回路では、同軸ケーブルが地点(1,2)と接続することで、コイルであるストリップライン52は、インダクタンスLcableを有する電気ケーブルの一部を定める一方で、インダクタンスLsを定めるストリップラインインダクタ54の接触端子は地点(3,4)に位置する。部品の接続は、プリント回路基板（図示されていない）の異なる層によって実行される。図6の回路は、接地面（図示されていない）を備える複数のストリップライン設計として実装される。
【００２６】
図7は共振回路の実施例を図示している。図7の共振回路の実施例では、電気ケーブル24又は電気ケーブル28は、(i)第1磁気共鳴周波数で共振する第1共振回路60、及び(ii)第2磁気共鳴周波数で共振する第2共振回路62と電気的に直列接続する。図示された第1共振回路60と第2共振回路62は、式(5)で表される共鳴周波数を有する並列LC共振回路である。しかし他の共振回路の構成も考えられる。図示されていないが、任意で3つ以上の共振回路が、3つ以上の異なる磁気共鳴周波数を捕らえるため、図7に図示された構成と同様に直列に電気的接続されても良い。
【００２７】
図7に図示された共振回路−共振回路の一部として含まれる電気ケーブル24,28の一部も含む−は、高周波遮蔽体64内に封止されている。高周波遮蔽体64は有利となるように、共振回路からの高周波干渉(RFI)の放出を抑制し、かつその共振回路と外部RFIとを隔離する。本明細書に記載されている典型的な共振回路の全てに図示されていないが、高周波遮蔽体64は、本願の図に表された典型的な共振回路を任意で含んで良いことに留意して欲しい。
【００２８】
図8は、伝導性円筒形（シリンダ）素子70を含む共振回路を概略的に図示している。伝導性円筒形素子70は、電気ケーブル24又は電気ケーブル28の周囲で同心円状に配置され、かつ、外側及び内側の同心円円筒壁を有する。前記外側及び内側の同心円円筒壁はギャップによって隔てられている。そのギャップは、分配されたキャパシタ若しくはまとめられたキャパシタを含み、又は定める。電気ケーブル24又は電気ケーブル28と誘導結合する円筒形素子70によって実装される同軸トラップデバイスは、まとまったキャパシタ素子を用いてキャパシタを調節し、素子70の幾何学的寸法−たとえば壁72,74の相互の間隔及び電気ケーブル24又は電気ケーブル28からの壁72,74の間隔−を調節することにより、第1及び第2のそれぞれ異なる磁気共鳴周波数に対応する2つの共鳴を有するように構成される。
【００２９】
図9-12を参照すると、バズーカ型トラップとして実装される共振回路が図示されている。バズーカ型トラップは伝導性の円筒形シース80,82を有する。伝導性の円筒形シース80,82は、互いに同軸状に配置され、かつそれぞれ電気ケーブル24又は電気ケーブル28とも同軸状に配置される。図9及び図10に図示されているように、外側円筒形シース80の一端は、内側円筒形シース82と電気的に接続し、かつ2つのシース80,82の相対位置は、同軸の軸に沿って調節可能である。図11は図9及び図10のバズーカとラップの電気モデルを図示している。図12は、2つのシース80,82の相対位置の軸方向での調節が及ぼすバズーカ型トラップの共振周波数への効果を表している。概念上、動作は以下のように理解することができる。各シースは共鳴周波数を有する。そのためバズーカ型トラップは2つの共鳴周波数を有する。しかし2つの伝導性シース80と82との間での相互結合及びシースと電気ケーブル24又は28との間での相互結合は、2つの共鳴周波数の値に影響を及ぼす。従って図12に図示されているように、2つのシース80と82との間での軸上での重なりを調節することによって、2つの共鳴周波数は、所望のそれぞれ異なる第1及び第2共鳴周波数と一致するまで、調節されて良い。図12では、左側のプロットと右側のプロットは、「二重調節された」構成の共振周波数を表している。他方図12の中央のプロットでは、2つの周波数が同一となるように重なりが調節されている。
【００３０】
図13は共振回路を図示している。前記共振回路は、(i)並列キャパシタC1が全体にわたって設けられたケーブルインダクタンスL1を有する伝導結合する共振回路90、及び、(ii)インダクタンスL2とキャパシタンスC2との並列相互接続により形成された並列LC回路を有する誘導結合共振回路92を有する。トラップは次式で表される2つの共鳴を有する。
ω1≡1/√(L1C1)  (6)
式(6)で表される共鳴は、伝導結合共振回路90によって生成される。
ω2≡1/√(L2C2)  (7)
式(7)で表される共鳴は、誘導結合共振回路92によって生成される。インダクタンスL1とインダクタンスL2の値は、相互インダクタンス、すなわち個々のインダクタンスL1とL2との間の「変成作用」により影響される。それにより二重共振回路の調節を行うための別な自由度が供される。一部の適切な物理的実施例では、インダクタンスL1とL2は、物理的な変成器内での構成として、共通の強磁性コアの周囲を巻くことによって形成されて良い。
【００３１】
図2-図13に図示された共振回路は単なる例である。他の二重共振回路（又は三重共振回路、又はより一般的にはN重共振回路（Nは2以上の整数で、捕らえられる各異なる共鳴周波数の数に対応する））が、図1に図示された典型的な共振回路30,32を実施するのに用いられても良いことに留意して欲しい。
【図１】
0005681699.tif 000005
【図２】
0005681699.tif 000006
【図３】
0005681699.tif 000007
【図４】
0005681699.tif 000008
【図５】
0005681699.tif 000009
【図６】
0005681699.tif 000010
【図７】
0005681699.tif 000011
【図８】
0005681699.tif 000012
【図９】
0005681699.tif 000013
【図１０】
0005681699.tif 000014
【図１１】
0005681699.tif 000015
【図１２】
0005681699.tif 000016
【図１３】
0005681699.tif 000017